(57)【要約】      （修正有）【課題】ホームページに簡単に他人の著作物が利用できるようにすることと、著作者に掲載の対価としての著作権料の問題を解決する。【解決手段】ウェブサイトに著作物を表示する手段と、この著作物に関連する商品を紹介する手段、さらに、閲覧者が商品を購入した場合、著作者に報酬を還元する手段を具備したアフィリエイトを利用した著作権料の徴収システム。【選択図】図１１
2007226760.tif 000002
【特許請求の範囲】
【請求項１】
ウェブサイトに著作物を表示する手段と、この著作物に関連する商品を紹介する手段、さらに、閲覧者が商品を購入した場合、著作者に報酬を還元する手段を具備したアフィリエイトを利用した著作権料の徴収システム。
【請求項２】
著作物の掲載者に報酬の一部を還元することを特徴とする請求項１記載のアフィリエイトを利用した著作権料の徴収システム。
【発明の詳細な説明】
【技術分野】
【０００１】  この発明は、画像などの著作物をインターネット上に公開するさいに、著作権の対価を、アフィリエイトを利用して徴収するシステムに関する。
【背景技術】
【０００２】  インターネットで自分のホームページに他人の著作物を利用するさい、掲載の許諾、あるいは、著作権料などを約す著作権契約を締結するなどの著作権をクリアにする手順があり手軽でない事情がある。
一方、著作権者にとっては、インターネットで著作権料を得ることが難しい状況にあった。
【発明の開示】
【発明が解決しようとする課題】
【０００３】  本発明は、ホームページに簡単に他人の著作物が利用できるようにすることと、著作者に掲載の対価としての著作権料の問題を解決することを課題とする。
【課題を解決するための手段】
【０００４】  本発明は、著作物に関連する、あるいは、連想される商品を、著作物のハイパーリンク先のホームページで紹介し、閲覧者が商品を購入した場合、著作者に商品購入代金の一部を著作権料として還元するものである。
請求項２に記載の発明にあっては、著作物の掲載者にも商品購入代金の一部を成功報酬として還元するものである。
【発明の効果】
【０００５】  ウェブサイトに著作物を表示し、その著作物に関連、あるいは、連想される商品を紹介することは、サイトの文章の流れに自然であり、商品イメージを直接貼り付けて違和感のある現状のアフィリエイトより閲覧者には好感度があり、結果として販売者にとっては、高い広告効果と販売率が期待できる。
著作者にとっては、多くの人々に気に入れられる著作物であるほど商品が売れ、結果として人気の著作物ほど高額の成功報酬を得、理にかなった著作権料を手に入れられる。
掲載者にとっては、簡単に他人の著作物を掲載できる。
請求項２では、掲載者は収入を得ることもできる。
このように本発明により、著作権の無法地帯といわれるインターネットにおいて、一つの解決方法を与えるものである。
【発明を実施するための最良の形態】
【０００６】  掲載者端末（２）、著作者端末（３）、および、不特定多数の閲覧者端末（４）は、インターネット網（５）を介して、本発明のサービスを行うサーバ（１）に接続している。
サーバ（１）は、外部からのアクセスで動作する、縮小画像表示プログラム（６）、著作物表示プログラム（７）、販売プログラム（８）、および、著作物掲載プログラム（１０）のＣＧＩと、スタンドアローンで動作する決済プログラム（９）のソフトウェアで構成されている。【０００７】  サーバ（１）のファイル毎の構成を説明する。
著作物ファイル（１１）は、著作物毎に管理される著作物レコード（１７）で構成され、著作物毎に記録される。
商品ファイル（１２）は、商品毎に管理される商品レコード（１８）で構成され、商品毎に記録される。
売上ファイル（１３）は、販売プログラム（８）の結果として商品が売れた場合に、逐次記憶の形式で売上レコード（１９）単位に記録される。
著作者ファイル（１４）は、著作者毎に管理される著作者レコード（２０）で構成され、著作者毎に記録される。
掲載者ファイル（１５）は、掲載者毎に管理される掲載者レコード（２１）で構成され、掲載者毎に記録される。
決済書（１６）は、売上レコード（１９）毎に決済フォーマット（２２）の形式で印刷される。【０００８】  レコード毎の構成を説明する。
著作物レコード（１７）は、著作物レコード（１７）を特定する著作物ＩＤ（５１）と、タイトル、作成日付などの著作物固有の情報からなる著作物情報（５２）のほか、著作者レコード（２０）を特定する参照用著作者ＩＤ（５３）、著作者と掲載者でアフィリエイトの報酬を分配するための掲載者分配率（５４）、掲載者ホームページ（２４）に表示する縮小画像データ（５５）、著作物ホームページに表示する画像データ（５６）、複数の商品レコード（１８）を特定する参照用商品１ＩＤ（５７）から参照用商品ｎＩＤ（５８）の記憶域で構成されていて著作者が登録する。
参照用商品１ＩＤ（５７）から参照用商品ｎＩＤ（５８）の複数の項目は、商品ファイル（１２）をカテゴリ、キーワード検索などの方法で著作物に関連、あるいは、連想される商品を選び出し、その商品ＩＤ（５９）を著作者が登録する。
商品レコード（１８）は、商品レコード（１８）を特定する商品ＩＤ（５９）と、商品名、値段などの商品固有の情報からなる商品情報（６０）のほか、アフィリエイトの報酬額を決める報酬分配率（６１）、商品ホームページ（２６）に表示する商品画像データ（６２）の記憶域で構成されていて販売者が登録する。
売上レコード（１９）は、商品レコード（１８）を特定する参照用商品ＩＤ（６３）と、売上個数（６４）、著作物レコード（１７）を特定する参照用著作物ＩＤ（６５）、掲載者レコード（２１）を特定する参照用掲載者ＩＤ（６６）の記憶域で構成されている。
著作者レコード（２０）は、著作者レコード（２０）を特定する著作者ＩＤ（６７）と、著作者名、口座番号などの著作者固有の情報からなる著作者情報（６８）の記憶域で構成されていて著作者が登録する。
掲載者レコード（２１）は、掲載者レコード（２１）を特定する掲載者ＩＤ（６９）と、掲載者名、口座番号などの掲載者固有の情報からなる掲載者情報（７０）の記憶域で構成されていて掲載者が登録する。【０００９】  決済フォーマット（２２）の、決済番号欄（７１）は、印刷順の番号を印刷する。
商品名欄（７２）売上個数欄（７３）売上金額欄（７４）は、参照用商品ＩＤ（６３）で特定される商品レコード（１８）の商品情報（６０）の内容を印刷する。
著作者決済データ欄（７５）は、参照用著作物ＩＤ（６５）で特定される著作物レコード（１７）の参照用著作者ＩＤ（５３）で特定される著作者レコード（２０）の著作者情報（６８）の内容を印刷する。
著作者分配金欄（７６）は、売上金額欄（７４）の値、参照用商品ＩＤ（６３）で特定される報酬分配率（６１）の値、参照用著作物ＩＤ（６５）で特定される著作物レコード（１７）の掲載者分配率（５４）の値を１から引いた値を、それぞれ掛け合わせた値を印刷する。
掲載者決済データ欄（７７）は、参照用掲載者ＩＤ（６６）で特定される掲載者レコード（２１）の掲載者情報（７０）の内容を印刷する。
掲載者分配金欄（７８）は、売上金額欄（７４）の値、参照用商品ＩＤ（６３）で特定される報酬分配率（６１）の値、参照用著作物ＩＤ（６５）で特定される著作物レコード（１７）の掲載者分配率（５４）の値を、それぞれ掛け合わせた値を印刷する。【００１０】  著作物掲載プログラム（１０）は、掲載者端末（２）のブラウザから、著作物掲載プログラム（１０）固有のＵＲＬを開くことで呼び出される。
まず、カテゴリ、キーワード検索などの方法で著作物レコード（１７）を特定する。
特定された著作物レコード（１７）の内容で著作物掲載プログラム画面（２３）を掲載者端末（２）に表示する。
著作物表示欄（７９）には、縮小画像データ（５５）を表示する。
著作者表示欄（８０）には、参照用著作者ＩＤ（５３）で特定される著作者レコード（２０）の著作者情報（６８）の内容を表示する。
著作者ＩＤ表示欄（８１）には、参照用著作者ＩＤ（５３）を表示する。
掲載者分配率表示欄（８２）には、掲載者分配率（５４）を表示する。
掲載者ＩＤ入力欄（８３）には、予め、掲載者端末（２）の掲載者が登録した、掲載者レコード（２１）の掲載者ＩＤ（６９）を入力し、タグ生成ボタン（８４）をクリックすることで、掲載者ＩＤ入力欄（８３）の内容を掲載者ＩＤ（８８）、著作物ＩＤ（５１）の内容を著作物ＩＤ（８９）、著作物ＩＤ（９０）に埋め込んだ図１０に示すテキストを、掲載用タグ表示欄（８５）に表示する。
この掲載用タグ表示欄（８５）のテキストを、掲載者の所有する掲載者ホームページ（２４）のＨＴＭＬファイルの任意の場所に張り付けすることで、著作物の掲載が完了する。【００１１】  不特定多数の閲覧者端末（４）で、掲載者ホームページ（２４）を開くと、縮小画像表示プログラムのＵＲＬアドレス（８７）によって、縮小画像表示プログラム（６）が呼び出される。
このとき、縮小画像表示プログラム（６）に、著作物ＩＤ（９０）が知らされるので、著作物レコード（１７）を特定し、縮小画像データ（５５）の内容を縮小画像表示欄（９１）に表示する。
つぎに、掲載者ホームページ（２４）の縮小画像表示欄（９１）をクリックすると、著作物表示プログラムのＵＲＬアドレス（８６）によって、著作物表示プログラム（７）が呼び出される。
このとき、著作物表示プログラム（７）に、掲載者ＩＤ（８８）、著作物ＩＤ（８９）が知らされるので、著作物レコード（１７）を特定し、画像データ（５６）の内容を画像表示欄（９２）に表示するタグ、おすすめボタン（９３）を配したＨＴＭＬテキストを作成し、閲覧者端末（４）に転送し、著作物ホームページ（２５）を開く。
著作物ホームページ（２５）のおすすめボタン（９３）をクリックすると、販売プログラム（８）が呼び出される。
このとき、販売プログラム（８）に、クッキー、あるいは、タグへの埋め込みデータの手法で、著作物表示プログラム（７）から掲載者ＩＤ（８８）、著作物ＩＤ（８９）が知らされる。
販売プログラム（８）は、著作物ＩＤ（８９）で特定される著作物レコード（１７）の参照用商品１ＩＤ（５７）から商品レコード（１８）を特定し、商品画像データ（６２）の内容を商品１表示欄（９４）に表示するタグを複数のタグ、参照用商品ｎＩＤ（５８）まで作成し、ＨＴＭＬテキストとしてまとめたものを閲覧者端末（４）に転送し、商品ホームページ（２６）を開く。
商品ホームページ（２６）で実際に閲覧者端末（４）の人に商品が売れた場合、販売プログラム（８）は、売れた商品の商品レコード（１８）の商品ＩＤ（５９）を参照用商品ＩＤ（６３）、売れた個数を売上個数（６４）、著作物表示プログラム（７）から知らされた著作物ＩＤ（８９）を参照用著作物ＩＤ（６５）、著作物表示プログラム（７）から知らされた掲載者ＩＤ（８８）を参照用掲載者ＩＤ（６６）にそれぞれ売上レコード（１９）に格納した上で、売上ファイル（１３）に書き出す。
売上ファイル（１３）は、サーバ（１）の管理者が任意に、あるいは、一定の期間毎に決済プログラム（９）を呼び出す。
決済プログラム（９）は、順次ファイル呼び出しの方法で売上レコード（１９）を読み込み、逐次この売上レコード（１９）から決済フォーマット（２２）の形式で決済書（１６）に印刷する。【００１２】  著作物が小さく、縮小画像表示欄（９１）に納まるようであれば、図１２のように、著作物ホームページ（２５）を省き、掲載者ホームページ（２４）から直接、商品ホームページ（２６）を開いても良い。
著作物が動画である場合は、図１３のように動画再生ボタン（９６）などの動画操作ボタンを設ける。
著作物が音楽である場合は、図１４のように、縮小画像表示欄（９１）の代わりに、曲名表示欄（９７）と、音楽再生ボタン（９８）、おすすめボタン（９３）を設け、音楽再生ボタン（９８）をクリックすると、著作物の音楽を演奏するようにする。
【図面の簡単な説明】
【００１３】
【図１】本発明の使用形態を示す模式図である。
【図２】サーバの構成を示すブロック図である。
【図３】著作物ファイルの記憶単位である著作物レコードの構成図である。
【図４】商品ファイルの記憶単位である商品レコードの構成図である。
【図５】売上ファイルの記憶単位である売上レコードの構成図である。
【図６】著作者ファイルの記憶単位である著作者レコードの構成図である。
【図７】掲載者ファイルの記憶単位である掲載者レコードの構成図である。
【図８】決裁書の出力単位である決済フォーマットの構成図である。
【図９】画像掲載プログラムの入力画面を示す図である。
【図１０】掲載者ホームページに埋め込むタグを示す図である。
【図１１】掲載者ホームページから著作物ホームページ、商品ホームページを開く方法を説明する図である。
【図１２】掲載者ホームページから商品ホームページを開く方法を説明する図である。
【図１３】著作物が動画である場合の掲載方法を説明する図である。
【図１４】著作物が音楽である場合の掲載方法を説明する図である。
【符号の説明】
【００１４】  １  サーバ                        ２  掲載者端末
３  著作者端末                    ４  閲覧者端末
５  インターネット網              ６  縮小画像表示プログラム
７  著作物表示プログラム          ８  販売プログラム
９  決済プログラム              １０  著作物掲載プログラム
１１  著作物ファイル              １２  商品ファイル
１３  売上ファイル                １４  著作者ファイル
１５  掲載者ファイル              １６  決済書
１７  著作物レコード              １８  商品レコード
１９  売上レコード                ２０  著作者レコード
２１  掲載者レコード              ２２  決済フォーマット
２３  著作物掲載プログラム画面    ２４  掲載者ホームページ
２５  著作物ホームページ          ２６  商品ホームページ
５１  著作物ＩＤ                  ５２  著作物情報
５３  参照用著作者ＩＤ            ５４  掲載者分配率
５５  縮小画像データ              ５６  画像データ
５７  参照用商品１ＩＤ            ５８  参照用商品ｎＩＤ
５９  商品ＩＤ                    ６０  商品情報
６１  報酬分配率                  ６２  商品画像データ
６３  参照用商品ＩＤ              ６４  売上個数
６５  参照用著作物ＩＤ            ６６  参照用掲載者ＩＤ
６７  著作者ＩＤ                  ６８  著作者情報
６９  掲載者ＩＤ                  ７０  掲載者情報
７１  決済番号欄                  ７２  商品名欄
７３  売上個数欄                  ７４  売上金額欄
７５  著作者決済データ欄          ７６  著作者分配金欄
７７  掲載者決済データ欄          ７８  掲載者分配金欄
７９  著作物表示欄                ８０  著作者表示欄
８１  著作者ＩＤ表示欄            ８２  掲載者分配率表示欄
８３  掲載者ＩＤ入力欄            ８４  タグ生成ボタン
８５  掲載用タグ表示欄
８６  著作物表示プログラムのＵＲＬアドレス
８７  縮小画像表示プログラムのＵＲＬアドレス
８８  掲載者ＩＤ                  ８９  著作物ＩＤ
９０  著作物ＩＤ                  ９１  縮小画像表示欄
９２  画像表示欄                  ９３  おすすめボタン
９４  商品Ｉ表示欄                ９５  商品ｎ表示欄
９６  動画再生ボタン              ９７  曲名表示欄
９８  音楽再生ボタン
【図１】
2007226760.tif 000003
【図２】
2007226760.tif 000004
【図３】
2007226760.tif 000005
【図４】
2007226760.tif 000006
【図５】
2007226760.tif 000007
【図６】
2007226760.tif 000008
【図７】
2007226760.tif 000009
【図８】
2007226760.tif 000010
【図９】
2007226760.tif 000011
【図１０】
2007226760.tif 000012
【図１１】
2007226760.tif 000013
【図１２】
2007226760.tif 000014
【図１３】
2007226760.tif 000015
【図１４】
2007226760.tif 000016